(57)【要約】  本発明は、マルチウェイスイッチ、無線周波数システム及び無線通信装置を提供する。マルチウェイスイッチは、５つのＴポート及び４つのＰポートを含む。５つのＴポートは、４つのＰポートに全部接続された２つの第一Ｔポートを含む。マルチウェイスイッチは、無線通信装置の無線周波数回路及びアンテナシステムに結合するために用いられる。無線通信装置は、二重周波数単一送信モードで動作可能である。アンテナシステムは、４つのＰポートに対応する４つのアンテナを含む。
2021503223.tif 000002
【特許請求の範囲】
【請求項１】
マルチウェイスイッチ１０であって、
５つのＴポート及び４つのＰポートを含み、前記５つのＴポートは前記４つのＰポートに全部接続された２つの第一Ｔポートを含み、
前記マルチウェイスイッチは、無線通信装置の無線周波数回路３０及びアンテナシステム２０に接続するために用いられ、
前記無線通信装置は二重周波数単一送信モードで動作可能であり、
前記アンテナシステムは、４つのＰポートに対応する４つのアンテナを含む、
ことを特徴とするマルチウェイスイッチ。
【請求項２】
前記５つのＴポートは３つの第二Ｔポートをさらに含み、前記３つの第二Ｔポートは別々に前記４つのＰポートのうちの対応する１つのＰポートに接続され、前記３つの第二Ｔポートは第一周波数帯域及び第一周波数帯域での受信をサポートし、前記第一周波数帯域と前記第一周波数帯域は重複しなく、
前記３つの第二Ｔポートは異なるＰポートに接続され、
前記４つのＰポートは４つのアンテナに１対１で対応して結合され、
前記２つの第一Ｔポートは、前記第一周波数帯域での送信及び受信をサポートする第一Ｔポートと、前記第二周波数帯域での送信及び受信をサポートする他の第一Ｔポートと、を含む、
ことを特徴とする請求項１に記載のマルチウェイスイッチ。
【請求項３】
前記無線周波数回路は、無線周波数トランシーバ３１と、第一トランシーバ回路３２１と、第二トランシーバ回路３２２と、３つの受信回路３３１、３３２、３３３と、を含み、
前記第一トランシーバ回路は、前記第一周波数帯域での送信をサポートする送信経路と前記第一周波数帯域での受信をサポートする受信経路を含み、両者は互いに結合され、
前記第二トランシーバ回路は、前記第二周波数帯域での送信をサポートする送信経路と前記第二周波数帯域での受信をサポートする受信経路を含み、両者は互いに結合され、
前記受信回路は、前記第一周波数帯域での受信をサポートする第一受信経路と前記第二周波数帯域での受信をサポートする第二受信経路を含み、両者は互いに結合される、
ことを特徴とする請求項２に記載のマルチウェイスイッチ。
【請求項４】
前記第一トランシーバ回路、前記第二トランシーバ回路及び前記３つの受信回路は、１つの独立回路モジュール４１に統合される、
ことを特徴とする請求項３に記載のマルチウェイスイッチ。
【請求項５】
前記第一トランシーバ回路、前記第二トランシーバ回路及び前記３つの受信回路は、２つの独立回路モジュールに統合され、
前記２つの独立回路モジュールは、第一独立回路モジュール５１及び第二独立回路モジュール５２を含み、
前記第一独立回路モジュールは、少なくとも前記第一トランシーバ回路及び前記第二トランシーバ回路を含み、
前記第二独立回路モジュールは、少なくとも前記３つの受信回路のうちの２つを含む、
ことを特徴とする請求項３に記載のマルチウェイスイッチ。
【請求項６】
前記第一トランシーバ回路、前記第二ランシーバ回路及び前記３つの受信回路は、３つの独立回路モジュールに統合され、
前記３つの独立回路モジュールは、第一独立回路モジュール６１、第二独立回路モジュール６２及び第三独立回路モジュール６３を含み、
前記第一独立回路モジュールは、前記第一トランシーバ回路を含み、
前記第二独立回路モジュールは、前記第二トランシーバ回路を含み、
前記第三独立回路モジュールは、前記３つの受信回路を含む、
ことを特徴とする請求項３に記載のマルチウェイスイッチ。
【請求項７】
前記第一トランシーバ回路、前記第二トランシーバ回路及び前記３つの受信回路は、４つの独立回路モジュールに統合され、
前記４つの独立回路モジュールは、第一独立回路モジュール７１、第二独立回路モジュール７２、第三独立回路モジュール７３及び第四独立回路モジュール７４を含み、
前記第一独立回路モジュールは、前記第一トランシーバ回路及び前記第二トランシーバ回路を含み、
前記第二独立回路モジュール、前記第三独立回路モジュール及び前記第四独立回路モジュールは、別々に前記３つの受信回路のうちの１つを含む、
ことを特徴とする請求項３に記載のマルチウェイスイッチ。
【請求項８】
前記第一トランシーバ回路、前記第二トランシーバ回路及び前記３つの受信回路は、 ５つの独立回路モジュールに統合され、
前記５つの独立回路モジュールは、第一独立回路モジュール８１、第二独立回路モジュール８２、第三独立回路モジュール８３、第四独立回路モジュール８４及び第五独立回路モジュール８５を含み、
前記第一独立回路モジュールは、前記第一トランシーバー回路を含み、
前記第二独立回路モジュールは、前記第二トランシーバ回路を含み、
前記第三独立回路モジュール、前記第四独立回路モジュール及び前記第五独立回路モジュールは、別々に前記３つの受信回路のうちの１つを含む、
ことを特徴とする請求項３に記載のマルチウェイスイッチ。
【請求項９】
前記第一トランシーバ回路は、前記第一周波数帯域で動作可能な第一電力増幅器３２１１、前記第一周波数帯域で動作可能な第一低雑音増幅器３２１２、前記第一周波数帯域を通過させる第一フィルタ３２１３、第一カプラ３２１４及び第一セレクタスイッチ３２１５を含み、
前記第一電力増幅器は、前記無線周波数トランシーバの対応する送信ポートに接続された入力ポートと、前記第一セレクタスイッチの第一固定ポートに接続された出力ポートと、を含み、
前記第一低雑音増幅器は、前記無線周波数トランシーバの対応する受信ポートに接続された出力ポートと、前記第一セレクタスイッチの第二固定ポートに接続された入力ポートと、を含み、
前記第一フィルタは、前記第一セレクタスイッチのセレクタポートに接続された第一ポートと、前記第一カプラの第一ポートに接続された第二ポートと、を含み、
前記第一カプラは、前記第一周波数帯域での送信及び受信をサポートする前記第一Ｔポートに接続された第二ポートを含む、
ことを特徴とする請求項３〜８のいずれか一項に記載のマルチウェイスイッチ。
【請求項１０】
前記第二トランシーバ回路は、前記第二周波数帯域で動作可能な第二電力増幅器３２２１、前記第二周波数帯域で動作可能な第二低雑音増幅器３２２２、前記第二周波数帯域を通過させる第二フィルタ３２２３、第二カプラ３２２４及び第二セレクタースイッチ３２２５を含み、
前記第二電力増幅器は、前記無線周波数トランシーバの対応する送信ポーに接続された入力ポートと、前記第二セレクタスイッチの第一固定ポートに接続された出力ポートと、を含み、
前記第二低雑音増幅器は、前記無線周波数トランシーバの対応する受信ポートに接続された出力ポートと、前記第二セレクタスイッチの第二固定ポートに接続された入力ポートと、を含み、
前記第二フィルタは、前記第二セレクタースイッチのセレクタポートに接続された第一ポートと、前記第二カプラの第一ポートに接続された第二ポートと、を含み、
前記第二カプラは、前記第二周波数帯域での送信及び受信をサポートする前記第一Ｔポートに接続された第二ポートを含む、
ことを特徴とする請求項３〜８のいずれか一項に記載のマルチウェイスイッチ。
【請求項１１】
前記各受信回路は、前記第一周波数帯域で動作可能な第一低雑音増幅器３３１１、前記第二周波数帯域で動作可能な第二低雑音増幅器３３１２、前記第一周波数帯域を通過させる第一フィルタ３３１３、前記第二周波数帯域を通過させる第二フィルタ３３１４及びセレクタスイッチ３３１５を含み、
前記セレクタスイッチは、前記３つの第二Ｔポートのうちの対応する１つのＴポートに接続されたセレクタポートを有し、
前記第一フィルタは、前記セレクタスイッチの第一固定ポートに接続された入力ポートと、前記第一低雑音増幅器の入力ポートに接続された出力ポートと、を含み、
前記第二フィルタは、前記セレクタスイッチの第二固定ポートに接続された入力ポートと、前記第二低雑音増幅器の入力ポートに接続された出力ポートと、を含み、
前記第一低雑音増幅器は、前記第一周波数帯域での受信をサポートする前記無線周波数トランシーバの対応する受信ポートに接続された出力ポートと、
前記第二低雑音増幅器、前記第二周波数帯域での受信をサポートする前記無線周波数トランシーバの対応する受信ポートに接続された出力ポートと、を含む、
ことを特徴とする請求項３〜８のいずれか一項に記載のマルチウェイスイッチ。
【請求項１２】
前記マルチウェイスイッチは、前記無線通信装置の無線周波数回路及びアンテナシステムに接続されて、前記無線通信装置のプリセット機能を実現するために用いられ、前記プリセット機能は、４つのアンテナによってサウンディングリファレンス信号（ＳＲＳ）を順番に送信する機能である、
ことを特徴とする請求項１〜１１のいずれか一項に記載のマルチウェイスイッチ。
【請求項１３】
前記４つのアンテナは、第一アンテナ、第二アンテナ、第三アンテナ及び第四アンテナを含み、
前記第一アンテナと前記第四アンテナは、長期進化（ＬＴＥ）周波数帯域と第五世代の新しいラジオ（５Ｇ ＮＲ）周波数帯域をサポートするアンテナであり、
前記第二アンテナ及び前記第三アンテナは、５Ｇ ＮＲ周波数帯域のみをサポートするアンテナである、
ことを特徴とする請求項１〜１２のいずれか一項に記載のマルチウェイスイッチ。
【請求項１４】
無線周波数システムであって、
アンテナシステムと、無線周波数回路と、請求項１〜１３のいずれか一項に記載のマルチウェイスイッチと、を含む、
ことを特徴とする無線周波数システム。
【請求項１５】
無線通信装置であって、
アンテナシステムと、無線周波数送信機と、前記無線周波数送信機に結合された無線周波数回路と、請求項１〜１３のいずれか一項に記載のマルチウェイスイッチと、を含む、
ことを特徴とする無線通信装置。
【発明の詳細な説明】
【技術分野】
【０００１】
本発明は、移動端末の技術分野に関し、さらに具体的に、マルチウェイスイッチ、無線周波数システム及び無線通信装置に関する。
【背景技術】
【０００２】
スマートフォンなどの電子製品が広く使用されることに伴って、スマートフォンがサポートすることができるアプリケーションはだんだん多くなり、且つ機能も強力になっている。スマートフォンは、多様化、パーソナライズされた方向に向かって発展し、ユーザーの生活に不可欠な電子製品になっている。第四世代（ｔｈｅ  ４ｔｈ  Ｇｅｎｅｒａｔｉｏｎ，４Ｇ）の移動通信システムにおいて、電子装置は一般的にシングルアンテナ又はデュアルアンテナの無線周波数（ＲＦ）システムアーキテクチャを採用している。現在、第五世代（ｔｈｅ  ５ｔｈ  Ｇｅｎｅｒａｔｉｏｎ，５Ｇ）の移動通信システムの新しいラジオ（Ｎｅｗ  Ｒａｄｉｏ，ＮＲ）システムにおいて、４アンテナ無線周波数システムアーキテクチャをサポートする電子装置が提案されている。
【発明の概要】
【０００３】
本発明の実施形態は、マルチウェイスイッチ、無線周波数システム及び無線通信装置を提供して、５Ｇ ＮＲにおいて、無線通信装置の４つのポートに対応する４つのアンテナによってサウンディングリファレンス信号（ｓｏｕｎｄｉｎｇ  ｒｅｆｅｒｅｎｃｅ  ｓｉｇｎａｌｓ、ＳＲＳ）を順番に送信する機能（即ち、４ポートＳＲＳ）を実現する。
【０００４】
第一態様において、本発明の実施形態は、マルチウェイスイッチを提供する。マルチウェイスイッチは、５つのＴポート及び４つのＰポートを含む。５つのＴポートは、４つのＰポートに全部接続された２つの第一Ｔポートを含む。マルチウェイスイッチは、無線通信装置の無線周波数回路及びアンテナシステムに結合するために用いられる。無線通信装置は、二重周波数単一送信モード（ｄｕａｌ-ｆｒｅｑｕｅｎｃｙ  ｓｉｎｇｌｅ-ｔｒａｎｓｍｉｔ  ｍｏｄｅ）で動作可能である。アンテナシステムは、４つのＰポートに対応する４つのアンテナを含む。
【０００５】
第二態様において、本発明の実施形態は、無線周波数システムを提供する。無線周波数システムは、アンテナシステムと、無線周波数回路と、無線通信装置の無線周波数回路及びアンテナシステムに結合されたマルチウェイスイッチと、を含む。マルチウェイスイッチは、５つのＴポート及び４つのＰポートを含む。５つのＴポートは、４つのＰポートに全部接続された２つの第一Ｔポートを含む。無線通信装置は、二重周波数単一送信モードで動作可能である。アンテナシステムは、４つのＰポートに対応する４つのアンテナを含む。マルチウェイスイッチは、無線通信装置のプリセット機能を実現するために用いられる。プリセット機能は、４つのアンテナによってＳＲＳを順番に送信する機能である。
【０００６】
第三態様において、本発明の実施形態は、無線通信装置を提供する。無線通信装置は、アンテナシステムと、無線周波数送信機（ｒａｄｉｏ  ｆｒｅｑｕｅｎｃｙ  ｔｒａｎｓｍｉｔｔｅｒ）と、無線周波数送信機に結合された無線周波数回路と、無線周波数回路及びアンテナシステムに結合されたマルチウェイスイッチと、を含む。マルチウェイスイッチは、５つのＴポート及び４つのＰポートを含む。５つのＴポートは、４つのＰポートに全部接続された２つの第一Ｔポートを含む。無線通信装置は、二重周波数単一送信モードで動作可能である。アンテナシステムは、４つのＰポートに対応する４つのアンテナを含む。マルチウェイスイッチは、プリセット機能を実現するために用いられる。プリセット機能は、４つのアンテナによってＳＲＳを順番に送信する機能である。
【０００７】
本発明の実施例において、無線通信装置は、アンテナシステムと、無線周波数回路と、マルチウェイスイッチと、を含む。無線通信装置は、二重周波数単一送信モードで動作可能である。アンテナシステムは、４つのアンテナを含む。マルチウェイスイッチは、５つのＴポート及び４つのＰポートを含む。マルチウェイスイッチは、無線周波数回路及びアンテナシステムに結合されてプリセット機能を実現するために用いられ、即ち４つのＰポートに対応する４つのアンテナによってサウンディングリファレンス信号を順番に送信する。
【図面の簡単な説明】
【０００８】
以下、本発明の実施形態又は従来の技術の技術方案をより明確に説明するために、本発明の実施形態又は従来の技術の説明に使用される図面について簡単に説明する。明らかに、以下説明される図面は、本発明の一部の実施形態だけのものであり、当業者であれば、これらの図面から創造的な努力なしに他の図面を得ることができる。
【図１】図１は、本発明の実施形態に係わるマルチウェイスイッチの構造を示す概略図である。
【図２】図２は、本発明の実施形態に係わる４Ｐ５Ｔスイッチの構造を示す概略図である。
【図３Ａ】図３Ａは、本発明の実施形態に係わる全てのＴポートが４つのＰポートに全部接続された４Ｐ５Ｔスイッチの構造を示す概略図である。
【図３Ｂ】図３Ｂは、本発明の実施形態に係わる簡略化された４Ｐ５Ｔスイッチの構造を示す概略図である。
【図４】図４は、本発明の実施形態に係わる無線周波数回路の構造を示す概略図である。
【図５】図５は、本発明の実施形態に係わる第一トランシーバ回路（ｆｉｒｓｔ  ｔｒａｎｓｃｅｉｖｅｒ  ｃｉｒｃｕｉｔ）の構造を示す概略図である。
【図６】図６は、本発明の実施形態に係わる第二トランシーバ回路（ｓｅｃｏｎｄ  ｔｒａｎｓｃｅｉｖｅｒ  ｃｉｒｃｕｉｔ）の構造を示す概略図である。
【図７】図７は、本発明の実施形態に係わる受信回路（ｒｅｃｅｉｖｅｒ  ｃｉｒｃｕｉｔ）の構造を示す概略図である。
【図８】図８は、本発明の実施形態に係わる独立回路モジュールに統合された無線周波数回路の構造を示す概略図である。
【図９】図９は、本発明の別の実施形態に係わる独立回路モジュールに統合された無線周波数回路の構造を示す概略図である。
【図１０】図１０は、本発明の別の実施形態に係わる独立回路モジュールに統合された無線周波数回路の構造を示す概略図である。
【図１１】図１１は、本発明の別の実施形態に係わる独立回路モジュールに統合された無線周波数回路の構造を示す概略図である。
【図１２】図１２は、本発明の別の実施形態に係わる独立回路モジュールに統合された無線周波数回路の構造を示す概略図である。
【図１３】図１３は、本発明の実施形態に係わる電子装置のアンテナシステムの構造を示す概略図である。
【図１４】図１４は、本発明の実施形態に係わる電子装置の別のアンテナシステムの構造を示す概略図である。
【図１５】図１５は、本発明の実施形態に係わる無線周波数システムの構造を示す概略図である。
【図１６】図１６は、本発明の実施形態に係わる電子装置の構造を示す概略図である。
【図１７】図１７は、本発明の実施形態に係わる無線通信装置のアンテナを再利用するための無線充電受信機を示す概略図である。
【図１８】図１８は、本発明の実施形態に係わる４つのアンテナを含むループアレイアンテナの構造を示す概略図である。
【発明を実施するための形態】
【０００９】
以下、本発明の実施形態の添付の図面を参照しながら、本発明の実施形態の技術的方案を明確且つ完全に説明する。明らかに、説明される実施形態は、本発明の一部の実施形態だけのものであり、全ての実施形態ではない。本明細書に説明される実施形態から創造的な努力なしに当業者が得ることができるすべての別の実施形態は、本発明の範囲に属する。
【００１０】
本願の明細書、特許請求の範囲及び図面で使用される用語「第一」、「第二」などは、特定の順序を説明するために用いられなく、異なる対象を区別するために用いられる。用語「含む」、「有する」及びそれらの変形は、非排他的包含を網羅することを意図する。例えば、一連のステップ又はユニットを含むプロセス、システム、製品、又は装置は、リストされたステップ又はユニットに限定されず、選択的に、リストされていない他のステップ又はユニットを含むことができ、又は、選択的に、これらのプロセス、製品、又はデバイスに固有する他のステップ又はユニットを含むことができる。
【００１１】
本明細書で言及される「実施形態」という用語は、実施形態に関連して説明される特定の特徴、構造、又は特性が本願の少なくとも１つの実施形態に含まれ得ることを意味する。本明細書の各々の場所に現れるこの用語は、必ず同じ実施形態を指すものではなく、他の実施形態と相互に排他的な独立した又は代替実施形態を指すものでもない。本明細書に記載された実施形態は他の実施形態と組み合わせることができることは、当業者によって明示的及び暗黙的に理解される。
【００１２】
本発明の実施形態に係わる無線通信装置は、電子装置又はネットワーク装置のうちの少なくとも１つを含むことができる。電子装置は、様々な無線通信機能を有するハンドヘルドデバイス、車載デバイス、ウェアラブルデバイス、コンピューティングデバイス又はワイヤレスモデムに接続された他の処理デバイス、及び様々な形態のユーザ装置（Ｕｓｅｒ  Ｅｑｕｉｐｍｅｎｔ，ＵＥ）（携帯電話など）、モバイルステーション（Ｍｏｂｉｌｅ  Ｓｔａｔｉｏｎ，ＭＳ）、端末装置（ｔｅｒｍｉｎａｌ  ｄｅｖｉｃｅ）などを含むことができる。便利に説明するために、上記のデバイスを総称して電子装置と呼ぶ。ネットワーク装置は、基地局、アクセスポイントなどを含むことができる。
【００１３】
本明細書で言及される用語は下記のとおりである。
【００１４】
二重周波数単一送信モード（ｄｕａｌ-ｆｒｅｑｕｅｎｃｙ  ｓｉｎｇｌｅ-ｔｒａｎｓｍｉｔ  ｍｏｄｅ）：無線通信装置が二重周波数帯域−１アップリンク送信経路（ｄｕａｌ  ｆｒｅｑｕｅｎｃｙ  ｂａｎｄ−ｏｎｅ  ｕｐｌｉｎｋ  ｔｒａｎｓｍｉｔ  ｐａｔｈ）又は二重周波数帯域−４ダウンリンク受信経路（ｄｕａｌ  ｆｒｅｑｕｅｎｃｙ  ｂａｎｄ−ｆｏｕｒ  ｄｏｗｎｌｉｎｋ  ｒｅｃｅｉｖｅ  ｐａｔｈ）をサポートできる動作モードを指す。
【００１５】
以下の実施形態では、無線通信装置について、電子装置を例として説明する。
【００１６】
現在、携帯電話の４つのアンテナを切り替えてサウンディングリファレンス信号（ｓｏｕｎｄｉｎｇ  ｒｅｆｅｒｅｎｃｅ  ｓｉｇｎａｌｓ、ＳＲＳ）を送信する機能は、中国移動通信グループ（Ｃｈｉｎａ  Ｍｏｂｉｌｅ  Ｃｏｍｍｕｎｉｃａｔｉｏｎｓ  Ｇｒｏｕｐ  Ｃｏ．，Ｌｔｄ，ＣＭＣＣ）が「中国移動５Ｇ規模試験技術白書−端末」における必須オプションであり、第三世代パートナーシッププロジェクト（３ｒｄ  Ｇｅｎｅｒａｔｉｏｎ  Ｐａｒｔｎｅｒｓｈｉｐ  Ｐｒｏｊｅｃｔ，３ＧＰＰ）ではオプションであり、ＳＲＳの主な目的は、基地局が携帯電話の４つのアンテナのアップリンク信号を測定することにより、４つのチャネルの品質とパラメータを確認し、チャネルの相互関係に応じて４つのチャネルに対してダウンリンク大規模多入力多出力（Ｍｕｌｔｉｐｌｅ−Ｉｎｐｕｔ  Ｍｕｌｔｉｐｌｅ−Ｏｕｔｐｕｔ，ＭＩＭＯ）アンテナアレイのビームフォーミングを実行して、最後にダウンリンク４×４ＭＩＭＯが最適なデータ伝送性能を獲得するようにすることである。４×４ＭＩＭＯとは、基地局がデータを送信する４つのアンテナを有し、端末装置がデータを受信する４つのアンテナを有することをいう。
【００１７】
４つのアンテナを切り替えてＳＲＳを送信する要件を満たすために、３Ｐ３Ｔ/ＤＰＤＴ/マルチウェイ小型スイッチスイッチングスキームと比較すると、本発明の実施形態によって提供された簡略化された４Ｐ５Ｔアンテナスイッチに基づく無線周波数アーキテクチャは、各経路の直列スイッチの数を減らすことができ（全部又は一部のスイッチを４Ｐ５Ｔスイッチに統合する）、リンク損失を減らして、端末装置全体の送信及び受信性能を最適化する。以下、本発明の実施形態を詳細に説明する。
【００１８】
図１は、本発明の実施形態に係わるマルチウェイスイッチの構造を示す概略図である。マルチウェイスイッチ１０は、アンテナシステム２０及び無線周波数回路３０を含む電子装置１００に適用可能であり、電子装置１００は二重周波数単一送信モードで動作可能であり、アンテナシステム２０は４つのアンテナを含む。マルチウェイスイッチ１０は５つのＴポート及び４つのＰポートを含み、５つのＴポートは４つのＰポートに全部接続された２つの第一Ｔポートを含む。マルチウェイスイッチ１０は、無線周波数回路３０及びアンテナシステム２０に結合されて電子装置１００のプリセット機能を実現するために用いられる。プリセット機能は、４つのＰポートに対応する４つのアンテナによってサウンディングリファレンス信号（ＳＲＳ）を順番に送信する機能である。
【００１９】
送信アンテナとは、４つのアンテナのうち、送信機能（即ち、信号送信機能である）をサポートするアンテナをいう。本発明の実施形態における４つのアンテナは、全て送信機能をサポートすることができる。
【００２０】
電子装置は、５Ｇ ＮＲをサポートする携帯電話又は他の端末装置であることができ、例えば、ＣＰＥ（Ｃｕｓｔｏｍｅｒ  Ｐｒｅｍｉｓｅ  Ｅｑｕｉｐｍｅｎｔ）又はＭＩＦＩ（Ｍｏｂｉｌｅ  Ｗｉｆｉ）である。
【００２１】
本発明の「Ｐポート」は、「極ポート（ｐｏｌｅ  ｐｏｒｔ）」の略語であり、マルチウェイスイッチ１０のアンテナに結合されたポートを指す。本発明の「Ｔポート」は、「スローポート（ｔｈｒｏｗ  ｐｏｒｔ）」の略語であり、マルチウェイスイッチ１０の無線周波数回路３０に結合されたポートを指す。本開示の実施形態では、４つのＰポート及び５つのＴポートがある。マルチウェイスイッチ１０の構造を容易に理解するために、本発明の実施形態に係わるマルチウェイスイッチ１０を「４Ｐ５Ｔスイッチ」と呼ぶこともできる。具体的には、図３Ａに示されたように、Ｔポート１は第一水平線に沿って右へ延在され且つ実点aで第一垂直線と交差し、実点aを介して、Ｔポート１は別々にＰポート１、Ｐポート２、Ｐポート３及びＰポート４に接続される。Ｔポート２は第二水平線に沿って右へ延在され且つ実点ｂで第五垂直線と交差し、実点ｂを介して、Ｔポート２は別々にＰポート１、Ｐポート２、Ｐポート３及びＰポート４に接続される。Ｔポート３は第三水平線に沿って右へ延在され且つ実点ｃで第四垂直線と交差し、実点ｃを介して、Ｔポート３は別々にＰポート１、Ｐポート２、Ｐポート３及びＰポート４に接続される。Ｔポート４は第四水平線に沿って右へ延在され且つ実点ｄで第三垂直線と交差し、実点ｄを介して、Ｔポート４は別々にＰポート１、Ｐポート２、Ｐポート３及びＰポート４に接続される。Ｔポート５は第五水平線に沿って右へ延在され且つ実点ｅで第二垂直線と交差し、実点ｅを介して、Ｔポート５は別々にＰポート１、Ｐポート２、Ｐポート３及びＰポート４に接続される。図３Ｂに示されたように、Ｔポート１は第一水平線に沿って右へ延在され且つ実点aで第一垂直線と交差し、実点aを介して、Ｔポート１は別々にＰポート１、Ｐポート２、Ｐポート３及びＰポート４に接続される。Ｔポート２は第二水平線に沿って右へ延在され且つ実点ｂで第五垂直線と交差し、実点ｂを介して、Ｔポート２は別々にＰポート１、Ｐポート２、Ｐポート３及びＰポート４に接続される。
【００２２】
本発明の実施例において、Ｔポートは４つのＰポートに全部接続され、これはＴポートがすべてのＰポートに接続されることを意味する。例えば、第一Ｔポートは全部接続されたポート（ｆｕｌｌｙ  ｃｏｕｐｌｅｄ  ｐｏｒｔ）である。つまり、第一Ｔポートは４つのＰポートに全て接続される。
【００２３】
「４つのＰポートに対応する４つのアンテナによってＳＲＳを順番に送信する」とは、電子装置１００はポーリングメカニズムに基づいて基地局と対話して各アンテナに対応するアップリンクチャネルの品質を確定する過程を示す。
【００２４】
本発明の実施形態に係わるマルチウェイスイッチによって、電子装置１００は二重周波数単一送信モードで動作可能である。５ＧＮＲで４ポートＳＲＳスイッチングをサポートする電子装置１００のＲＦアーキテクチャを簡素化することに有利であり、送信経路と受信経路のスイッチの数を減らし、経路損失を減らすことにより、送信電力/感度を向上させ、５ＧＮＲのデータ伝送速度を改善し、携帯電話のアップリンク及びダウンリンクのカバレッジを改善し、消費電力を削減する。
【００２５】
１つの実施形態において、上述した５つのＴポートは３つの第二Ｔポートをさらに含み、３つの第二Ｔポートのうちの各第二Ｔポートは４つのＰポートのうちの対応する１つのＰポートに接続される。３つの第二Ｔポートは、第一周波数帯域及び第二周波数帯域での受信をサポートし、第一周波数帯域と第二周波数帯域は重合しない。３つの第二Ｔポートは、異なるＰポートに接続される。４つのＰポートは、４つのアンテナに１対１で対応して結合される。２つの第一Ｔポートは、第一周波数帯域での送信及び受信をサポートする第一Ｔポートと、第二周波数帯域での送信及び受信をサポートする他の第一Ｔポートと、を含む。
【００２６】
本発明の実施形態において、Ｔポートは、それぞれ４つのＰポートのうちの対応する１つのＰポートに接続される。即ち、Ｔポートは、４つのＰポートのうちの対応する１つのＰポートのみに接続される。本発明の実施形態において、３つの第二Ｔポートは全て単独に接続されたポートであり、即ち、３つの第二Ｔポートのうちの各第二Ｔポートは、４つのＰポートのうちの対応する１つのＰポートに接続される。
【００２７】
第一周波数帯域及び第二周波数帯域は、全て５Ｇ ＮＲをサポートする周波数帯域である。簡単に説明するために、「ＮＲ帯域Ｎｘ」は、５Ｇ ＮＲにおいて電子装置１００がサポートする第一周波数帯域を表す。「ＮＲ帯域Ｎｙ」は、５Ｇ ＮＲにおいて電子装置１００がサポートする第二周波数帯域を表す。例えば、第一周波数帯域の範囲は３．３ＧＨｚ〜３．８ＧＨｚであり、第二周波数帯域範囲は４．４ＧＨｚ〜５ＧＨｚであり、又は、第一周波数帯域範囲は４．４ＧＨｚ〜５ＧＨｚであり、第二周波数帯域範囲は３．３ＧＨｚ〜３．８ＧＨｚである。
【００２８】
本発明の実施形態において、５つのＴポートは、２つのタイプのポートを含む。２つの第一Ｔポート（１つは第一周波数帯域での送信及び受信をサポートする第一Ｔポートであり、もう１つは第二周波数帯域での送信及び受信をサポートする第一Ｔポートである）を第一タイプのポートとして定義し、３つの第二Ｔポートを第二タイプのポートとして定義する。第一Ｔポートは全部接続されたポートである。１つの第一Ｔポートは第一周波数帯域（ＮＲ  Ｂａｎｄ  Ｎｘ）での送信及び受信をサポートするポートであり、他の第一Ｔポートは第二周波数帯域（ＮＲ  Ｂａｎｄ  Ｎｙ）での送信及び受信をサポートするポートである。３つの第二Ｔポートは、単独に接続されたポートであり、ＮＲ  Ｂａｎｄ  Ｎｘ及びＮＲ  Ｂａｎｄ  Ｎｙでの受信をサポートする。図２は、本発明の実施形態に係わる４Ｐ５Ｔスイッチの構造を示す概略図である。図２に示されたように、２つの第一Ｔポートは、「ＮＲ  Ｂａｎｄ  Ｎｘ  ＴＲＸ１」ポート及び「ＮＲ  Ｂａｎｄ  Ｎｙ  ＴＲＸ１」ポートである。「ＮＲ  Ｂａｎｄ  Ｎｘ  ＴＲＸ１」ポートは、ＮＲ  Ｂａｎｄ  Ｎｘでの無線周波数信号の送信及び受信をサポートする。「ＮＲ  Ｂａｎｄ  Ｎｙ  ＴＲＸ１」ポートは、ＮＲ  Ｂａｎｄ  Ｎｙでの無線周波数信号の送信及び受信をサポートする。３つの第二Ｔポートは、「ＮＲ  Ｂａｎｄ  Ｎｘ＋Ｎｙ  ＲＸ２」ポート、「ＮＲ  Ｂａｎｄ  Ｎｘ＋Ｎｙ  ＲＸ３」ポート及び「ＮＲ  Ｂａｎｄ  Ｎｘ＋Ｎｙ  ＲＸ４」ポートである。４つのＰポートは、Ｐ１ポート、Ｐ２ポート、Ｐ３ポート及びＰ４ポートである。「ＮＲ  Ｂａｎｄ  Ｎｘ  ＴＲＸ１」ポートは、Ｐ１ポート、Ｐ２ポート、Ｐ３ポート及びＰ４ポートに接続される。「ＮＲ  Ｂａｎｄ  Ｎｙ  ＴＲＸ１」ポートは、Ｐ１ポート、Ｐ２ポート、Ｐ３ポート及びＰ４ポートに接続される。「ＮＲ  Ｂａｎｄ  Ｎｘ＋Ｎｙ  ＲＸ２」ポート、「ＮＲ  Ｂａｎｄ  Ｎｘ＋Ｎｙ  ＲＸ３」ポート及び「ＮＲ  Ｂａｎｄ  Ｎｘ＋Ｎｙ  ＲＸ４」ポートは、ＮＲ  Ｂａｎｄ  Ｎｘ及びＮＲ  Ｂａｎｄ  Ｎｙでの受信をサポートするポートである。同一チャネル干渉を回避するために、「ＮＲ  Ｂａｎｄ  Ｎｘ＋Ｎｙ  ＲＸ２」ポート、「ＮＲ  Ｂａｎｄ  Ｎｘ＋Ｎｙ  ＲＸ３」ポート及び「ＮＲ  Ｂａｎｄ  Ｎｘ＋Ｎｙ  ＲＸ４」ポートは、異なるＰポートに接続されている。図２に示されたように、「ＮＲ  Ｂａｎｄ  Ｎｘ＋Ｎｙ  ＲＸ２」ポートはＰ１ポートに接続され、「ＮＲ  Ｂａｎｄ  Ｎｘ＋Ｎｙ  ＲＸ３」ポートはＰ３ポートに接続され、「ＮＲ  Ｂａｎｄ  Ｎｘ＋Ｎｙ  ＲＸ４」ポートは、Ｐ４ポートに接続される。なお、図２に示された第二ＴポートとＰポートの接続態様はただ１つの可能な例示であり、「３つの第二Ｔポートは異なるＰポートに接続される」との条件を満たすかぎり、他の接続方式を採用することができる。
【００２９】
本発明の実施形態で説明するマルチウェイスイッチ１０のＴポートとＰポートの間の接続（ｃｏｕｐｌｉｎｇ）、単独接続（ｉｎｄｉｖｉｄｕａｌｌｙ  ｃｏｕｐｌｅｄ）、全部接続（ｆｕｌｌｙ  ｃｏｕｐｌｅｄ）、又は他の種類の接続の概念は、全てＴポートが第一スイッチトランジスタによってＰポートに接続されることを指す。第一スイッチトランジスタは、ＴポートとＰポートとの間の単方向伝導（ＴポートからＰポートへの単方向伝導及びＰポートからＴポートへの単方向伝導を含む）を制御するために用いられる。第一スイッチトランジスタは、例えば、３つの電界効果トランジスタ（例えば、金属酸化物半導体（ＭＯＳ）トランジスタ）からなるスイッチアレイであることができる。第一スイッチトランジスタが切断され且つ接地されていない場合、寄生パラメータ（寄生容量や寄生インダクタンスなど）は、接続されている他のポートの性能に影響を与える。従って、第一スイッチトランジスタは３つのＭＯＳトランジスタで構成され、第一スイッチトランジスタが切断されると、両側のＭＯＳトランジスタが切断され、中央の１つのＭＯＳトランジスタが接地される。マルチウェイスイッチ１０は、ＴポートとＰポートとの間の第一スイッチトランジスタに加えて、Ｔポート側及びＰポート側の第二スイッチトランジスタをさらに含む。第二スイッチトランジスタは、接地スイッチトランジスタと呼ぶこともできる。各Ｔポートに接地スイッチトランジスタを設置することができ、各Ｐポートにも接地スイッチトランジスタを設置することができ、Ｔポート又はＰポートが信号を送信及び受信しない場合、接地スイッチトランジスタはオンになる。Ｔポート又はＰポートが信号を受信又は送信すると、接地スイッチトランジスタ（即ち、第二スイッチトランジスタ）はオフになる。第二スイッチトランジスタは、対応するポート（Ｔポート又はＰポート）を有効にするために用いられる。第二スイッチトランジスタは、例えば、ＭＯＳトランジスタであることができる。ここで、第一スイッチトランジスタ及び第二スイッチトランジスタの具体的な形態は限定されない。１つの実施形態において、電子装置１００は、第一スイッチトランジスタによって、ＴポートとＰポートとの間の経路の伝導を制御することができる。１つの実施形態において、電子装置１００は、マルチウェイスイッチ１０のスイッチトランジスタに接続される専用のコントローラを設置することができる。
【００３０】
５つのＴポートにおいて、ただ２つのＴポートが４つのＰポートに全部接続され、他のＴポートは１つのアンテナのみに固定的に接続されて、受信するために用いられるので、４Ｐ５Ｔスイッチの内蔵電界効果トランジスタ（ＦＥＴ）の数量、体積及びコストを削減でき、性能を向上させる。以下、詳細に説明する。
【００３１】
マルチウェイスイッチ１０は、電界効果トランジスタを含む。例えば、もし５つのＴポートのうちの各Ｔポートがすべて４つのＰポートに全部接続されると、図３Ａに示されたマルチウェイスイッチの構造を示す概略図のように、マルチウェイスイッチの電界効果トランジスタの数量は５＋５＊４＊３＋４＝６９である。本実施形態において、５つのＴポートのうちの２つのＴポートのみが４つのＰポートに全部接続され、図３Ｂに示されたマルチウェイスイッチの構造を示す概略図のように、マルチウェイスイッチの電界効果トランジスタの数量は５＋（２＊４＋（５−２）＊１）＊３＋４＝４２である。明らかに、本発明の実施形態によると、４Ｐ５Ｔスイッチの内蔵電界効果トランジスタの数量、体積及びコストを低減でき、性能を向上させる。
【００３２】
図４は、本発明の実施形態に係わる無線周波数回路の構造を示す概略図である。図４に示されたように、無線周波数回路３０は、無線周波数トランシーバ３１と、第一トランシーバ回路３２１（信号を送信、受信、及び/又は処理するために用いられる回路であると理解することができる）と、第二トランシーバ回路３２２と、３つの受信回路（信号を受信及び/又は処理するために用いられる回路であると理解することができる）と、を含む。本発明において、「信号を送信、受信、及び/又は処理する」は、「信号を送信、受信又は処理する」又は「信号を送信、受信及び処理する」を意味し、「信号を受信及び/又は処理する」は、「信号を受信又は処理する」又は「信号を受信及び処理する」を意味することに留意されたい。第一トランシーバ回路３２１は、第一周波数帯域（ＮＲ Ｂａｎｄ Ｎｘ）での送信をサポートする送信経路と第一周波数帯域（ＮＲ Ｂａｎｄ Ｎｘ）での受信をサポートする受信経路を含み、且つ第一周波数帯域（ＮＲ Ｂａｎｄ Ｎｘ）での送信をサポートする送信経路と第一周波数帯域（ＮＲ Ｂａｎｄ Ｎｘ）での受信をサポートする受信経路は互いに結合され、第一トランシーバ回路３２１は図５に示されている。第二トランシーバ回路３２２は、第二周波数帯域（ＮＲ Ｂａｎｄ Ｎｙ）での送信をサポートする送信経路と第二周波数帯域（ＮＲ Ｂａｎｄ Ｎｙ）での受信をサポートする受信経路を含み、且つ第二周波数帯域（ＮＲ Ｂａｎｄ Ｎｙ）での送信をサポートする送信経路と第二周波数帯域（ＮＲ Ｂａｎｄ Ｎｙ）での受信をサポートする受信経路は互いに結合され、第二トランシーバ回路３２２は図６に示されている。受信回路は、第一周波数帯域での受信をサポートする第一受信経路と第二周波数帯域での受信をサポートする第二受信経路を含み、且つ第一周波数帯域での受信をサポートする第一受信経路と第二周波数帯域での受信をサポートする第二受信経路は互いに結合され、受信回路は図７に示されている。
【００３３】
図４に示されたように、３つの受信回路は、第一受信回路３３１、第二受信回路３３２及び第三受信回路３３３を含む。第一受信回路３３１、第二受信回路３３２及び第三受信回路３３３は、ＮＲ Ｂａｎｄ Ｎｘ及びＮＲ Ｂａｎｄ Ｎｙでの信号処理をサポートする受信回路である。
【００３４】
本発明の実施形態において、無線周波数トランシーバ３１は、無線周波数信号を送信及び受信するために用いられる。アップリンクでは、無線周波数トランシーバ３１は、ベースバンド信号を送信される無線周波数信号に変調するために用いられる。無線周波数信号は第一トランシーバ回路３２１又は第二トランシーバ回路３２２によって増幅、フィルタリングされてから特定の周波数帯域の電磁波信号に変換され、アンテナを介して送信される。ダウンリンクでは、アンテナは特定の周波数帯域の電磁波信号を受信し、電磁波信号を無線周波数信号に変換する。無線周波数信号は増幅及びフィルタリングされてから無線周波数トランシーバ３１に送信される。無線周波数トランシーバ３１は、受信された無線周波数信号をベースバンド信号に復調して、ベースバンドチップによって処理されるようにする。  
【００３５】
本発明の実施形態において、第一トランシーバ回路３２１は、第一周波数帯域（ＮＲ Ｂａｎｄ Ｎｘ）での送信をサポートする送信経路と第一周波数帯域（ＮＲ Ｂａｎｄ Ｎｘ）での受信をサポートする受信経路を含み、且つ第一周波数帯域（ＮＲ Ｂａｎｄ Ｎｘ）での送信をサポートする送信経路と第一周波数帯域（ＮＲ Ｂａｎｄ Ｎｘ）での受信をサポートする受信経路は互いに結合される。第二トランシーバ回路３２２は、第二周波数帯域（ＮＲ Ｂａｎｄ Ｎｙ）での送信をサポートする送信経路と第二周波数帯域（ＮＲ Ｂａｎｄ Ｎｙ）での受信をサポートする受信経路を含み、且つ第二周波数帯域（ＮＲ Ｂａｎｄ Ｎｙ）での送信をサポートする送信経路と第二周波数帯域（ＮＲ Ｂａｎｄ Ｎｙ）での受信をサポートする受信経路は互いに結合される。第一トランシーバ回路３２１及び第二トランシーバ回路３２２は、すべて１つの受信ポート、１つの送信ポート及び１つの受信送信ポートを含む。３つの受信回路のうちの各受信回路は、すべて１つの受信ポート及び２つの送信ポートを含む。
【００３６】
マルチウェイスイッチ１０は、２つの第一Ｔポート及び３つの第二Ｔポートを含む。図４に示されたように、２つの第一Ｔポートは、別々に第一トランシーバ回路３２１の受信送信ポート及び第二トランシーバ回路３２２の受信送信ポートのうちの対応する１つの受信送信ポートに接続される。３つの第二Ｔポートのうちの各第二Ｔポートは、３つの受信回路の受信ポートのうちの対応する１つの受信ポートに接続される。
【００３７】
無線周波数トランシーバ３１は、第一トランシーバ回路３２１、第二トランシーバ回路３２２及び３つの受信回路３３１、３３２、３３３に適用されるために、少なくとも２つの送信ポート及び８つの受信ポートを含む。図４に示されたように、無線周波数トランシーバ３１は、２つの送信ポートである「ＴＸ＿Ｎｘ」ポート及び「ＴＸ＿Ｎｙ」ポートと、８つの受信ポートである「ＲＸ１＿Ｎｘ」ポート、「ＲＸ１＿Ｎｙ」ポート、「ＲＸ２＿Ｎｘ」ポート、「ＲＸ２＿Ｎｙ」ポート、「ＲＸ３＿Ｎｘ」ポート、「ＲＸ３＿Ｎｙ」ポート、「ＲＸ４＿Ｎｘ」ポート、「ＲＸ４＿Ｎｙ」ポートと、を含む。「ＴＸ＿Ｎｘ」ポートは、第一トランシーバ回路３２１の受信ポートに接続される。「ＴＸ＿Ｎｙ」ポートは、第二トランシーバ回路３２２の受信ポートに接続される。「ＲＸ１＿Ｎｘ」ポートは、第一トランシーバ回路３２１の送信ポートに接続される。「ＲＸ１＿Ｎｙ」ポートは、第二トランシーバ回路３２２の送信ポートに接続される。「ＲＸ２＿Ｎｘ」ポートは、第一受信回路３３１の第一送信ポートに接続される。「ＲＸ２＿Ｎｙ」ポートは、第一受信回路３３１の第二送信ポートに接続される。「ＲＸ３＿Ｎｘ」ポートは、第二受信回路３３２の第一送信ポートに接続される。「ＲＸ３＿Ｎｙ」ポートは、第二受信回路３３２の第二送信ポートに接続される。「ＲＸ４＿Ｎｘ」ポートは、第三受信回路３３３の第一送信ポートに接続される。「ＲＸ４＿Ｎｙ」ポートは、第三受信回路３３３の第二送信ポートに接続される。
【００３８】
トランシーバ回路の具体的な構造は図５及び図６を参照してください。図５は、本発明の実施形態に係わる第一トランシーバ回路の構造を示す概略図である。図５に示されたように、第一トランシーバ回路３２１は、第一周波数帯域（ＮＲ  Ｂａｎｄ  Ｎｘ）で動作可能な第一電力増幅器３２１１、第一周波数帯域で動作可能な第一低雑音増幅器３２１２、第一周波数帯域を通過させる第一フィルタ３２１３、第一カプラ３２１４及び第一セレクタスイッチ３２１５を含む。第一電力増幅器３２１１は、無線周波数トランシーバ３１の対応する送信ポートＴＸ＿Ｎｘに接続された入力ポートと、第一セレクタスイッチ３２１５の第一固定ポートに接続された出力ポートと、を含む。第一低雑音増幅器３２１２は、無線周波数トランシーバ３１の対応する受信ポートＲＸ１＿Ｎｘに接続された出力ポートと、第一セレクタスイッチ３２１５の第二固定ポートに接続された入力ポートと、を含む。第一フィルタ３２１３は、第一セレクタスイッチ３２１５のセレクタポートに接続された第一ポートと、第一カプラ３２１４の第一ポートに接続された第二ポートと、を含む。第一カプラ３２１４は、第一周波数帯域での送信及び受信をサポートする第一Ｔポートに接続された第二ポートを含む。
【００３９】
第一電力増幅器３２１１は、無線周波数トランシーバ３１によって送信された無線周波数信号を増幅するために用いられる無線周波数電力増幅器である。第一電力増幅器３２１１は、第一周波数帯域の無線周波数信号を増幅することができる。
【００４０】
第一フィルタ３２１３は、第一電力増幅器３２１１によって増幅された無線周波数信号をフィルタリングするか、又は第一周波数帯域での送信及び受信をサポートする第一Ｔポートから受信された無線周波数信号をフィルタリングすることができる。第一フィルタ３２１３は、第一周波数帯域の無線周波数信号のみを通過させる。
【００４１】
第一カプラ３２１４は、２つの無線周波数信号を混合してから出力するために用いられる。１つの実施形態において、第一カプラ３２１４はさらに電力分配機能を有し、入力信号電力を無線周波数トランシーバ３１の対応する受信ポートに分配することにより、無線周波数トランシーバ３１はそれが送信する無線周波数信号の電力を便利に調整することができる。
【００４２】
第一セレクタスイッチ３２１５は、単極双投（ＳＰＤＴ）スイッチであることができる。第一セレクタスイッチ３２１５のセレクタポートが第一セレクタスイッチ３２１５の第一固定ポートに接続されると、第一トランシーバ回路３２１の第一電力増幅器３２１１、第一フィルタ３２１３及び第一カプラ３２１４は送信経路を構成することができ、この時、第一トランシーバ回路３２１はアップリンク信号を処理するために用いられる。第一セレクタスイッチ３２１５のセレクタポートが第一セレクタスイッチ３２１５の第二固定ポートに接続されると、第一トランシーバ回路３２１の第一低雑音増幅器３２１２、第一フィルタ３２１３及び第一カプラ３２１４は受信経路を構成することができ、この時、第一トランシーバ回路３２１はダウンリンク信号を処理するために用いられる。
【００４３】
図６は、本発明の実施形態に係わる第二トランシーバ回路の構造を示す概略図である。図６に示されたように、第二トランシーバ回路３２２は、第二周波数帯域（ＮＲ Ｂａｎｄ Ｎｙ）で動作可能な第二電力増幅器３２２１、第二周波数帯域で動作可能な第二低雑音増幅器３２２２、第二周波数帯域を通過させる第二フィルタ３２２３、第二カプラ３２２４及び第二セレクタースイッチ３２２５を含む。第二電力増幅器３２２１は、無線周波数トランシーバ３１の対応する送信ポートＴＸ＿Ｎｙに接続された入力ポートと、第二セレクタスイッチ３２２５の第一固定ポートに接続された出力ポートと、を含む。第二低雑音増幅器３２２２は、無線周波数トランシーバ３１の対応する受信ポートＲＸ１＿Ｎｙに接続された出力ポートと、第二セレクタスイッチ３２２５の第二固定ポートに接続された入力ポートと、を含む。第二フィルタ３２２３は、第二セレクタースイッチ３２２５のセレクタポートに接続された第一ポートと、第二カプラ３２２４の第一ポートに接続された第二ポートと、を含む。第二カプラ３２２４は、第二周波数帯域での送信及び受信をサポートする第一Ｔポートに接続された第二ポートを含む。
【００４４】
第二電力増幅器３２２１は、無線周波数トランシーバ３１によって送信された無線周波数信号を増幅するために用いられる無線周波数電力増幅器である。第二電力増幅器３２２１は、第二周波数帯域の無線周波数信号を増幅することができる。
【００４５】
第二フィルタ３２２３は、第二電力増幅器３２２１によって増幅された無線周波数信号をフィルタリングするか、又は第二周波数帯域での送信及び受信をサポートする第一Ｔポートから受信された無線周波数信号をフィルタリングすることができる。第二フィルタ３２２３は、第二周波数帯域の無線周波数信号のみを通過させる。
【００４６】
第二カプラ３２２４は、２つの無線周波数信号を混合してから出力するために用いられる。１つの実施形態において、第二カプラ３２２４はさらに電力分配機能を有し、入力信号電力を無線周波数トランシーバ３１の対応する受信ポートに分配することにより、無線周波数トランシーバ３１はそれが送信する無線周波数信号の電力を便利に調整することができる。
【００４７】
第二セレクタスイッチ３２２５は、単極双投（ＳＰＤＴ）スイッチであることができる。第二セレクタスイッチ３２２５のセレクタポートが第二セレクタスイッチ３２２５の第一固定ポートに接続されると、第二トランシーバ回路３２２の第二電力増幅器３２２１、第二フィルタ３２２３及び第二カプラ３２２４は送信経路を構成することができ、この時、第二トランシーバ回路３２２はアップリンク信号を処理するために用いられる。第二セレクタスイッチ３２２５のセレクタポートが第二セレクタスイッチ３２２５の第二固定ポートに接続されると、第二トランシーバ回路３２２の第二低雑音増幅器３２２２、第二フィルタ３２２３及び第二カプラ３２２４は受信経路を構成することができ、この時、第二トランシーバ回路３２２はダウンリンク信号を処理するために用いられる。
【００４８】
図５又は図６に示されたトランシーバ回路の具体的な構造は、１つの可能な例示であり、実際の需要に応じて回路の構成要素を削減又は増加することができる。
【００４９】
図７は、本発明の実施形態に係わる受信回路の構造を示す概略図である。図７に示されたように、第一受信回路３３１は、第一周波数帯域（ＮＲ Ｂａｎｄ Ｎｘ）で動作可能な第一低雑音増幅器３３１１、第二周波数帯域（ＮＲ Ｂａｎｄ Ｎｙ）で動作可能な第二低雑音増幅器３３１２、第一周波数帯域を通過させる第一フィルタ３３１３、第二周波数帯域を通過させる第二フィルタ３３１４及びセレクタスイッチ３３１５を含む。セレクタスイッチ３３１５は、３つの第二Ｔポートのうちの対応する１つのＴポートに接続されたセレクタポートを有する。第一フィルタ３３１３は、セレクタスイッチ３３１５の第一固定ポートに接続された入力ポートと、第一低雑音増幅器３３１１の入力ポートに接続された出力ポートと、を含む。第二フィルタ３３１４は、セレクタスイッチ３３１５の第二固定ポートに接続された入力ポートと、第二低雑音増幅器３３１２の入力ポートに接続された出力ポートと、を含む。第一低雑音増幅器３３１１は、第一周波数帯域での受信をサポートする無線周波数トランシーバ３１の対応する受信ポートＲＸ２＿Ｎｘに接続された出力ポートを含む。第二低雑音増幅器３３１２は、第二周波数帯域での受信をサポートする無線周波数トランシーバ３１の対応する受信ポートＲＸ２＿Ｎｙに接続された出力ポートを含む。
【００５０】
本開示の実施形態において、第一フィルタ３３１３及び第二フィルタ３３１４は、バンドパスフィルタであることができる。第一フィルタ３３１３は、第一周波数帯域での受信をサポートする第二Ｔポートから受信された無線周波数信号をフィルタリングすることができる。第一フィルタ３３１３は、第一周波数帯域の無線周波数信号のみを通過させる。第二フィルタ３３１４は、第二周波数帯域での受信をサポートする第二Ｔポートから受信された無線周波数信号をフィルタリングすることができる。第二フィルタ３３１４は、第二周波数帯域の無線周波数信号のみを通過させる。
【００５１】
第一低雑音増幅器３３１１は、第一フィルタ３３１３を通過する無線周波数信号を増幅するために用いられる。第二低雑音増幅器３３１２は、第二フィルタ３３１４を通過する無線周波数信号を増幅するために用いられる。低雑音増幅器は、出力される無線周波数信号の信号対雑音比を高めることができる。
【００５２】
セレクタスイッチ３３１５は、単極双投（ＳＰＤＴ）スイッチであることができる。セレクタスイッチ３３１５のセレクタポートがセレクタスイッチ３３１５の第一固定ポートに接続されると、第一低雑音増幅器３３１１及び第一フィルタ３３１３は第一受信経路を構成することができ、この時、第一受信回路３３１は第一周波数帯域のダウンリンク信号を処理するために用いられる。セレクタスイッチ３３１５のセレクタポートがセレクタスイッチ３３１５の第二固定ポートに接続されると、第二低雑音増幅器３３１２及び第二フィルタ３３１４は第二受信経路を構成することができ、この時、第一受信回路３３１は第二周波数帯域のダウンリンク信号を処理するために用いられる。
【００５３】
図７に示された第一受信回路の具体的な構造は、１つの可能な例示であり、実際の需要に応じて回路の構成要素を削減又は増加することができる。
【００５４】
第二受信回路３３２及び第三受信回路３３３は、第一受信回路３３１と同じ回路であることができる。
【００５５】
無線周波数回路の統合を改善するために、図４に示された無線周波数回路３０の第一トランシーバ回路３２１、第二トランシーバ回路３２２及び３つの受信回路は１つの独立回路モジュールに統合されることができる。図８は、本発明の実施形態に係わる独立回路モジュールに統合された無線周波数回路の構造を示す概略図である。図８に示されたように、第一トランシーバ回路３２１、第二トランシーバ回路３２２、第一受信回路３３１、第二受信回路３３２及び第三受信回路３３３は、１つの独立回路モジュール４１に統合される。独立回路モジュール４１は、無線周波数トランシーバ３１に接続された１０個のポート（即ち、図８に示されたポート４２０、４２１、４２２、４２３、４２４、４２５、４２６、４２７、４２８、４２９である）及びマルチウェイスイッチ１０に接続された５つのポート（即ち、図８に示されたポート４１１、４１２、４１３、４１４、４１５である）を含むことができる。ポート４２１、４２３は、独立回路モジュール４１の受信ポートである。ポート４２２、４２３、４２４、４２５、４２６、４２７、４２８、４２９は、独立回路モジュール４１の送信ポートである。ポート４１１、４１２は、独立回路モジュール４１の受信送信ポートであり、且つマルチウェイスイッチ１０の２つの第一Ｔポートにそれぞれ接続される。ポート４１３、４１４、４１５は、独立回路モジュール４１の受信ポートであり、且つマルチウェイスイッチ１０の３つの第二Ｔポートに１対１で対応して接続される。図８に示されたように、独立回路モジュール４１のポートの数量は、独立回路モジュール４１に統合された全ての信号処理回路（即ち、第一トランシーバ回路３２１、第二トランシーバ回路３２２、第一受信回路３３１、第二受信回路３３２、第三受信回路３３３）のポートの数量と等しく、且つ独立回路モジュール４１のポートと独立回路モジュール４１に統合された全ての信号処理回路のポートは対応して接続される。１つの実施形態において、ポート４２０は、第一トランシーバ回路３２１の送信ポートに接続され、ポート４２１は、第一トランシーバ回路３２１の受信ポートに接続され、ポート４１１は、第一トランシーバ回路３２１の受信送信ポートに接続される。ポート４２２は、第二トランシーバ回路３２２の送信ポートに接続され、ポート４２３は、第二トランシーバ回路３２２の受信ポートに接続され、ポート４１２は、第二トランシーバ回路３２２の受信送信ポートに接続される。ポート４２４、４２５は、別々に第一受信回路３３１の２つの受信ポートに接続され、ポート４１３は、第一受信回路３３１の受信ポートに接続される。ポート４２６、４２７は、別々に第二受信回路３３２の２つの受信ポートに接続され、ポート４１４は、第二受信回路３３２の受信ポートに接続される。ポート４２８、４２９は、別々に第三受信回路３３３の２つの受信ポートに接続され、ポート４１５は、第三受信回路３３３の受信ポートに接続される。
【００５６】
本発明の実施形態において、第一トランシーバ回路３２１、第二トランシーバ回路３２２及び３つの受信回路を１つの独立回路モジュールに統合することにより、無線周波数回路の統合を向上させ、独立回路モジュールの数量を減少することができ、電子装置１００の空間利用率を改善し、従って適応の柔軟性を改善し、コストを削減する。
【００５７】
１つの実施態様において、図４に示された無線周波数回路３０の第一トランシーバ回路３２１、第二トランシーバ回路３２２及び３つの受信回路は、 ２つの独立回路モジュールに統合されることができる。２つの独立回路モジュールは、第一独立回路モジュール及び第二独立回路モジュールを含む。第一独立回路モジュールは、少なくとも第一トランシーバ回路及び第二トランシーバ回路を含む。第二独立回路モジュールは、３つの受信回路のうちの少なくとも２つの受信回路を含む。
【００５８】
図９は、本発明の別の実施形態に係わる独立回路モジュールに統合された無線周波数回路の構造を示す概略図である。図９に示されたように、第一トランシーバ回路３２１及び第二トランシーバ回路３２２は、第一独立回路モジュール５１に統合される。第一受信回路３３１、第二受信回路３３２及び第三受信回路３３３は、第二独立回路モジュール５２に統合される。第一独立回路モジュール５１は、２つの受信ポート（即ち、図９に示されたポート５１４、５１６である）、２つの送信ポート（即ち、図９に示されたポート５１３、５１５である）及び２つの受信送信ポート（即ち、図９に示されたポート５１１、５１２である）を含む。ポート５１４、５１６は、無線周波数トランシーバ３１の送信ポートＴＸ＿Ｎｘ及びＴＸ＿Ｎｙに接続され、ポート５１３、５１５は、無線周波数トランシーバ３１の受信ポートＲＸ１＿Ｎｘ及びＲＸ１＿Ｎｙに接続される。ポート５１１は、マルチウェイスイッチ１０の第一周波数帯域での送信及び受信をサポートする第一Ｔポートに接続される。ポート５１２は、マルチウェイスイッチ１０の第二周波数帯域での送信及び受信をサポートする第一Ｔポートに接続される。第二独立回路モジュール５２は、３つの受信ポート（即ち、ポート５２１、５２２、５２３）及び６つの送信ポート（即ち、ポート５２４、５２５、５２６、５２７、５２８、５２９）を含む。ポート５２１、５２２、５２３は、マルチウェイスイッチ１０の３つの第二Ｔポートに１対１で対応して接続される。ポート５２４、５２５、５２６、５２７、５２８、５２９は、別々に無線周波数トランシーバ３１の受信ポートＲＸ２＿Ｎｘ、ＲＸ２＿Ｎｙ、ＲＸ３＿Ｎｘ、ＲＸ３＿Ｎｙ、ＲＸ４＿Ｎｘ、ＲＸ４＿Ｎｙのうちの対応する１つのＰポートに接続される。すべての独立回路モジュールのすべてのポートは互いに接続されていないことに留意されたい。
【００５９】
図９に示されたように、第一独立回路モジュール５１のポートの数量は、第一独立回路モジュール５１に統合された全てのトランシーバ回路のポートの数量と等しく、且つ第一独立回路モジュール５１のポートと第一独立回路モジュール５１に統合された全てのトランシーバ回路のポートは対応して接続される。第二独立回路モジュール５２のポートの数量は、第二独立回路モジュール５２に統合された全ての受信回路のポートの数量と等しく、且つ第二独立回路モジュール５２のポートと第二独立回路モジュール５２に統合された全ての受信回路のポートは対応して接続される。
【００６０】
図９に示された統合方式は、ただ１つの可能な実施形態にすぎないことに留意されたい。第一トランシーバ回路３２１、第二トランシーバ回路３２２及び３つの受信回路が２つの独立回路モジュールに統合されることを前提として、「第一独立回路モジュールは少なくとも第一トランシーバ回路及び第二トランシーバ回路を含み、第二独立回路モジュールは３つの受信回路のうちの少なくとも２つの受信回路を含む」という条件を満たすかぎり、他の統合方式を採用することができる。
【００６１】
本発明の実施形態において、第一トランシーバ回路３２１、第二トランシーバ回路３２２及び３つの受信回路を２つの独立回路モジュールに統合することにより、無線周波数回路の統合を改善し、独立回路モジュールの数量を減少することができ、電子装置１００の空間利用率を改善することにより、適応の柔軟性を改善し、コストを削減する。
【００６２】
１つの実施形態において、第一トランシーバ回路３２１、第二ランシーバ回路３２２及び３つの受信回路は、３つの独立回路モジュールに統合される。
【００６３】
３つの独立回路モジュールは、第一独立回路モジュール、第二独立回路モジュール及び第三独立回路モジュールを含む。第一独立回路モジュールは第一トランシーバ回路を含み、第二独立回路モジュールは第二トランシーバ回路を含み、第三独立回路モジュールは３つの受信回路を含む。
【００６４】
図１０は、本発明の別の実施形態に係わる独立回路モジュールに統合された無線周波数回路の構造を示す概略図である。図１０に示されたように、第一トランシーバ回路３２１は第一独立回路モジュール６１に統合され、第二トランシーバ回路３２２は第二独立回路モジュール６２に統合される。第一受信回路３３１、第二受信回路３３２及び第三受信回路３３３は、第三独立回路モジュール６３に統合される。第一独立回路モジュール６１は、１つの受信ポート（即ち、図１０に示されたポート６１３である）、１つの送信ポート（即ち、図１０に示されたポート６１２である）及び１つの受信送信ポート（即ち、図１０に示されたポート６１１である）を含む。ポート６１３は、無線周波数トランシーバ３１の対応する送信ポートＴＸ＿Ｎｘに接続され、ポート６１２は、無線周波数トランシーバ３１の対応する受信ポートＲＸ１＿Ｎｘに接続され、ポート６１１は、マルチウェイスイッチ１０の第一周波数帯域での送信及び受信をサポートする第一Ｔポートに接続される。第二独立回路モジュール６２は、１つの受信ポート（即ち、図１０に示されたポート６２３である）、１つの送信ポート（即ち、図１０に示されたポート６２２である）及び１つの受信送信ポート（即ち、図１０に示されたポート６２１である）を含む。ポート６２３は、無線周波数トランシーバ３１の対応する送信ポートＴＸ＿Ｎｙに接続され、ポート６２２は、無線周波数トランシーバ３１の対応する受信ポートＲＸ１＿Ｎｙに接続され、ポート６２１は、マルチウェイスイッチ１０の第二周波数帯域での送信及び受信をサポートする第一Ｔポートに接続される。第三独立回路モジュール６３は、３つの受信ポート（即ち、図１０に示されたポート６３１、６３２、６３３である）及び６つの送信ポート（即ち、図１０に示されたポート６３４、６３５、６３６、６３７、６３８、６３９である）を含む。ポート６３１、６３２、６３３は、マルチウェイスイッチ１０の３つの第二Ｔポートに１対１で対応して接続される。ポート６３４、６３５、６３６、６３７、６３８、６３９は、別々に無線周波数トランシーバ３１の受信ポートＲＸ２＿Ｎｘ、ＲＸ２＿Ｎｙ、ＲＸ３＿Ｎｘ、ＲＸ３＿Ｎｙ、ＲＸ４＿Ｎｘ、ＲＸ４＿Ｎｙのうちの対応する１つの受信ポートに接続される。すべての独立回路モジュールのすべてのポートが互いに切断されていることに留意されたい。
【００６５】
図１０に示されたように、第一独立回路モジュール６１のポートの数量は、第一独立回路モジュール６１に統合された第一トランシーバ回路のポートの数量と等しく、第一独立回路モジュール６１のポートと第一独立回路モジュール６１に統合された第一トランシーバ回路のポートは対応して接続される。第二独立回路モジュール６２のポートの数量は、第二独立回路モジュール６２に統合された第二トランシーバ回路のポートの数量と等しく、第二独立回路モジュール６２のポートと第二独立回路モジュール６２に統合された第二トランシーバ回路のポートは対応して接続される。第三独立回路モジュール６３のポートの数量は、第三独立回路モジュール６３に統合された全ての受信回路のポートの数量と等しく、第三独立回路モジュール６３のポートと第三独立回路モジュール６３に統合された全ての受信回路のポートは対応して接続される。
【００６６】
本実施形態において、第一トランシーバ回路３２１、第二トランシーバ回路３２２及び３つの受信回路を３つの独立回路モジュールに統合することにより、無線周波数回路の統合を改善し、独立回路モジュールの数量を減少することができ、電子装置１００の空間利用率を改善することにより、適応の柔軟性を改善し、コストを削減する。
【００６７】
１つの実施形態において、図４に示された無線周波数回路３０の第一トランシーバ回路３２１、第二トランシーバ回路３２２及び３つの受信回路は、４つの独立回路モジュールに統合される。
【００６８】
４つの独立回路モジュールは、第一独立回路モジュール、第二独立回路モジュール、第三独立回路モジュール及び第四独立回路モジュールを含む。第一独立回路モジュールは第一トランシーバ回路及び第二トランシーバ回路を含み、第二独立回路モジュール、第三独立回路モジュール及び第四独立回路モジュールは、別々に３つの受信回路のうちの１つを含む。
【００６９】
図１１は、本発明の別の実施形態に係わる独立回路モジュールに統合された無線周波数回路の構造を示す概略図である。図１１に示されたように、第一トランシーバ回路３２１及び第二トランシーバ回路３２２は、第一独立回路モジュール７１に統合される。第一受信回路３３１は、第二独立回路モジュール７２に統合される。第二受信回路３３２は、第三独立回路モジュール７３に統合される。第三受信回路３３３は、第四独立回路モジュール７４に統合される。第一独立回路モジュール７１は、２つの受信ポート（即ち、図１１に示されたポート７１４、７１６である）、２つの送信ポート（即ち、図１１に示されたポート７１３、７１５である）及び２つの受信送信ポート（即ち、図１１に示されたポート７１１、７１２であり）を含む。ポート７１４、７１６は、無線周波数トランシーバ３１の対応する送信ポートＴＸ＿Ｎｘ及びＴＸ＿Ｎｙに接続される。ポート７１３、７１５は、無線周波数トランシーバ３１の対応する受信ポートＲＸ１＿Ｎｘ及びＲＸ１＿Ｎｙに接続される。ポート７１１は、マルチウェイスイッチ１０の第一周波数帯域での送信及び受信をサポートする第一Ｔポートに接続される。ポート７１２は、マルチウェイスイッチ１０の第二周波数帯域での送信及び受信をサポートする第一Ｔポートに接続される。第二独立回路モジュール７２は、２つの送信ポート（即ち、図１１に示されたポート７２２、７２３である）及び１つの受信ポート（即ち、図１１に示されたポート７２１である）を含む。ポート７２１は、マルチウェイスイッチ１０の３つの第二Ｔポートのうちの対応する１つの第二Ｔポートに接続される。ポート７２２、７２３は、別々に無線周波数トランシーバ３１の受信ポートＲＸ２＿Ｎｘ及びＲＸ２＿Ｎｙのうちの対応する１つの受信ポートに接続される。第三独立回路モジュール７３は、２つの送信ポート（即ち、図１１に示されたポート７３２、７３３である）及び１つの受信ポート（即ち、図１１に示されたポート７３１である）を含む。ポート７３１は、マルチウェイスイッチ１０の３つの第二Ｔポートのうちの対応する１つの第二Ｔポートに接続される。ポート７３２、７３３は、別々に無線周波数トランシーバ３１の受信ポートＲＸ３＿Ｎｘ及びＲＸ３＿Ｎｙのうちの対応する１つの受信ポートに接続される。第四独立回路モジュール７４は、２つの送信ポート（即ち、図１１に示されたポート７４２、７４３）及び１つの受信ポート（即ち、図１１に示されたポート７４１）を含む。ポート７４１は、マルチウェイスイッチ１０の３つの第二Ｔポートのうちの対応する１つの第二Ｔポートに接続される。ポート７４２、７４３は、別々に無線周波数トランシーバ３１の受信ポートＲＸ４＿Ｎｘ及びＲＸ４＿Ｎｙのうちの対応する１つの受信ポートに接続される。図１１に示されたすべての独立回路モジュールのすべてのポートが互いに切断されていることに留意されたい。
【００７０】
図１１に示されたように、第一独立回路モジュール７１のポートの数量は、第一独立回路モジュール７１に統合されたすべてのトランシーバ回路のポートの数量と等しく、第一独立回路モジュール７１のポートと第一独立回路モジュール７１に統合されたすべてのトランシーバ回路のポートは対応して接続される。第二独立回路モジュール７２のポートの数量は、第二独立回路モジュール７２に統合された第一受信回路のポートの数量と等しく、第二独立回路モジュール７２のポートと第二独立回路モジュール７２に統合された第一受信回路のポートは対応して接続される。第三独立回路モジュール７３のポートの数量は、第三独立回路モジュール７３に統合された第二受信回路のポートの数量と等しく、第三独立回路モジュール７３のポートと第三独立回路モジュール７３に統合された第二受信回路のポートは対応して接続される。第四独立回路モジュール７４のポートの数量は、第四独立回路モジュール７４に統合された第三受信回路のポートの数量と等しく、第四独立回路モジュール７４のポートと第四独立回路モジュール７４に統合された第三受信回路のポートは対応して接続される。
【００７１】
本発明の実施形態において、第一トランシーバ回路３２１、第二トランシーバ回路３２２及び３つの受信回路は、４つの独立回路モジュールに統合される。４つの独立回路モジュールにおいて、３つの独立回路モジュール（即ち、図１１に示された第二独立回路モジュール７２、第三独立回路モジュール７３及び第四独立回路モジュール７４である）は同じ回路構造を有する。独立回路モジュールの再利用性を向上させることができ、独立回路モジュールの大量生産が容易になり、適応の柔軟性を改善し、コストを削減する。
【００７２】
１つの実施態様において、図４に示された無線周波数回路３０の第一トランシーバ回路３２１、第二トランシーバ回路３２２及び３つの受信回路は、 ５つの独立回路モジュールに統合される。
【００７３】
５つの独立回路モジュールは、第一独立回路モジュール８１、第二独立回路モジュール８２、第三独立回路モジュール８３、第四独立回路モジュール８４及び第五独立回路モジュール８５を含む。第一独立回路モジュール８１は、第一トランシーバー回路を含む。第二独立回路モジュール８２は、第二トランシーバ回路を含む。第三独立回路モジュール８３、第四独立回路モジュール８４及び第五独立回路モジュール８５は、別々に３つの受信回路のうちの１つを含む。
【００７４】
図１２は、本発明の別の実施形態に係わる独立回路モジュールに統合された無線周波数回路の構造を示す概略図である。図１２に示されたように、第一トランシーバ回路３２１は、第一独立回路モジュール８１に統合される。第二トランシーバ回路３２２は、第二独立回路モジュール８２に統合される。第一受信回路３３１は、第三独立回路モジュール８３に統合される。第二受信回路３３２は、第四独立回路モジュール８４に統合される。第三受信回路３３３は、第五独立回路モジュール８５に統合される。第一独立回路モジュール８１は、１つの受信ポート（即ち、図１２に示されたポート８１３である）、１つの送信ポート（即ち、図１２に示されたポート８１２である）及び１つの受信送信ポート（即ち、図１２に示されたポート８１１である）を含む。ポート８１３は、無線周波数トランシーバ３１の対応する送信ポートＴＸ＿Ｎｘに接続される。ポート８１２は、無線周波数トランシーバ３１の対応する受信ポートＲＸ１＿Ｎｘに接続される。ポート８１１は、マルチウェイスイッチ１０の第一周波数帯域での送信及び受信をサポートする第一Ｔポートに接続される。第二独立回路モジュール８２は、１つの受信ポート（即ち、図１２に示されたポート８２３である）、１つの送信ポート（即ち、図１２に示されたポート８２２である）及び１つの受信送信ポート（即ち、図１２に示されたポート８２１である）を含む。ポート８２３は、無線周波数トランシーバ３１の対応する送信ポートＴＸ＿Ｎｙに接続される。ポート８２２は、無線周波数トランシーバ３１の対応する受信ポートＲＸ１＿Ｎｙに接続される。ポート８２１は、マルチウェイスイッチ１０の第二周波数帯域での送信及び受信をサポートする第一Ｔポートに接続される。
【００７５】
第三独立回路モジュール８３は、２つの送信ポート（即ち、図１２に示されたポート８３２、８３３である）及び１つの受信ポート（即ち、図１２に示されたポート８３１である）を含む。ポート８３１は、マルチウェイスイッチ１０の３つの第二Ｔポートのうちの対応する１つの第二Ｔポートに接続される。ポート８３２、８３３は、別々に無線周波数トランシーバ３１の受信ポートＲＸ２＿Ｎｘ及びＲＸ２＿Ｎｙのうちの対応する１つの受信ポートに接続される。第四独立回路モジュール８４は、２つの送信ポート（即ち、図１２に示されたポート８４２、８４３である）及び１つの受信ポート（即ち、図１２に示されたポート８４１である）を含む。ポート８４１は、マルチウェイスイッチ１０の３つの第二Ｔポートのうちの対応する１つの第二Ｔポートに接続される。ポート８４２、８４３は、別々に無線周波数トランシーバ３１の受信ポートＲＸ３＿Ｎｘ及びＲＸ３＿Ｎｙのうちの対応する１つの受信ポートに接続される。第五独立回路モジュール８５は、２つの送信ポート（即ち、図１２に示されたポート８５２、８５３である）及び１つの受信ポート（即ち、図１２に示されたポート８５１）を含む。ポート８５１は、マルチウェイスイッチ１０の３つの第二Ｔポートのうちの対応する１つの第二Ｔポートに接続される。ポート８５２、８５３は、別々に無線周波数トランシーバ３１の受信ポートＲＸ４＿Ｎｘ及びＲＸ４＿Ｎｙのうちの対応する１つの受信ポートに接続される。すべての独立回路モジュールのすべてのポートが互いに切断されていることに留意されたい。
【００７６】
図１２に示されたように、第一独立回路モジュール８１のポート数量は、第一独立回路モジュール８１に統合された第一トランシーバ回路のポートの数量と等しく、第一独立回路モジュール８１のポートと第一独立回路モジュール８１に統合された第一トランシーバ回路のポートは対応して接続される。第二独立回路モジュール８２のポートの数量は、第二独立回路モジュール８２に統合された第二トランシーバ回路のポートの数量と等しく、第二独立回路モジュール８２のポートと第二独立回路モジュール８２に統合された第二トランシーバ回路のポートは対応して接続される。第三独立回路モジュール８３のポートの数量は、第三独立回路モジュール８３に統合された第一受信回路のポートの数量と等しく、第三独立回路モジュール８３のポートと第三独立回路モジュール８３に統合された第一受信回路のポートは対応して接続される。第四独立回路モジュール８４のポートの数量は、第四独立回路モジュール８４に統合された第二受信回路のポートの数量と等しく、第四独立回路モジュール８４のポートと第四独立回路モジュール８４に統合された第二受信回路のポートは対応して接続される。第五独立回路モジュール８５のポートの数量は、第五独立回路モジュール８５に統合された第三受信回路のポートの数量と等しく、第五独立回路モジュール８５のポートと第五独立回路モジュール８５に統合された第三受信回路のポートは対応して接続される。
【００７７】
本発明の実施形態において、第一トランシーバ回路３２１、第二トランシーバ回路３２２及び３つの受信回路は、５つの独立回路モジュールに統合される。５つの独立回路モジュールにおいて、３つの独立回路モジュール（すなわち、図１２に示された第三独立回路モジュール８３、第四独立回路モジュール８４及び第五独立回路モジュール８５である）は同じ回路構造を有する。独立回路モジュールの再利用性を向上させることができ、独立回路モジュールの大量生産が容易になり、適応の柔軟性を改善し、コストを削減する。
【００７８】
１つの可能な実施形態において、４つのアンテナは、第一アンテナ、第二アンテナ、第三アンテナ及び第四アンテナを含む。これらの４つのアンテナは、すべて第五世代の新しいラジオ（５Ｇ ＮＲ）周波数帯域で使用することができる。
【００７９】
５Ｇ ＮＲ周波数帯域は、例えば、３．３ＧＨｚ〜３．８ＧＨｚ、４．４ＧＨｚ〜５ＧＨｚを含むことができる。
【００８０】
１つの可能な実施形態において、４つのアンテナは、第一アンテナ、第二アンテナ、第三アンテナ及び第四アンテナを含む。第一アンテナと第四アンテナは、長期進化（Ｌｏｎｇ  Ｔｅｒｍ  Ｅｖｏｌｕｔｉｏｎ，ＬＴＥ）周波数帯域と第五世代の新しいラジオ（５Ｇ ＮＲ）周波数帯域をサポートするアンテナである。第二アンテナ及び第三アンテナは、５Ｇ ＮＲ周波数帯域のみをサポートするアンテナである。
【００８１】
第一アンテナ及び第四アンテナは、端末上のＬＴＥの一部の周波数帯域でＤＬ  ４×４  ＭＩＭＯをサポートすることを目的とする。この２つのアンテナは５Ｇ ＮＲと共有される（以下、「共有アンテナ」と呼ぶ）。ＬＴＥ周波数帯域は、例えば、１８８０ＭＨｚ〜１９２０ＭＨｚ、２４９６ＭＨｚ〜２６９０ＭＨｚを含むことができる。
【００８２】
１つの可能な実施形態において、図１３に示されたように、アンテナシステム２０は、第一コンバイナ及び第二コンバイナをさらに含む。第一コンバイナは、第一アンテナに接続するために用いられる第一ポートと、電子装置のＬＴＥ  ４×４  ＭＩＭＯの第一受信経路に接続するために用いられる第二ポートと、マルチウェイスイッチの対応するＰポートに接続するために用いられる第三ポートと、を含む。第二コンバイナは、第四アンテナに接続するために用いられる第一ポートと、電子装置のＬＴＥ  ４×４  ＭＩＭＯの第二受信経路に接続するために用いられる第二ポートと、マルチウェイスイッチの対応するＰポートに接続するために用いられる第三ポートと、を含む。
【００８３】
ＬＴＥ  ４×４  ＭＩＭＯはダウンリンクＬＴＥ受信回路であり、第三受信経路として定義することができる。ＬＴＥには、現在２つの受信経路があるので、ＬＴＥ  ４×４  ＭＩＭＯをサポートするために、第三受信経路と第四受信経路が追加される。
【００８４】
電子装置は、４つのアンテナの性能に応じて、回路のＰＲＸ（プライマリレシーバー（ｐｒｉｍａｒｙ  ｒｅｃｅｉｖｅｒ））に良い性能を有するアンテナを配置し、アンテナはスタンバイ状態になる。送信機能と受信機能の両方を備えるスイッチの第一ＴポートをＴＸとＰＲＸとして使用することができ、アンテナを任意に切り替えることができ、共有アンテナのポート間の接続を制限することを必要としない。
【００８５】
１つの可能な実施形態において、図１４に示されたように、アンテナシステム２０は、第一単極双投（ＳＰＤＴ）スイッチ及び第二ＳＰＤＴスイッチをさらに含む。第一ＳＰＤＴスイッチは、第一アンテナに接続するために用いられる第一ポートと、電子装置のＬＴＥ  ４×４  ＭＩＭＯの第一受信経路に接続するために用いられる第二ポートと、マルチウェイスイッチの対応するＰポートに接続するために用いられる第三ポートと、を含む。第二ＳＰＤＴスイッチは、第四アンテナに接続するために用いられる第一ポートと、電子装置のＬＴＥ  ４×４  ＭＩＭＯの第二受信経路に接続するために用いられる第二ポートと、マルチウェイスイッチの対応するＰポートに接続するために用いられる第三ポートと、を含む。
【００８６】
上述した実施形態によって提供されるマルチウェイスイッチの技術特徴の一部又は全部は、無線周波数システムに使用するか又は組み込むことができることに留意されたい。無線周波数システムはアンテナシステム及び無線周波数回路をさらに含むことができ、マルチウェイスイッチは無線周波数回路及びアンテナシステムに接続されることができる。
【００８７】
図１５は、本発明の実施形態に係わる無線周波数システムの構造を示す概略図である。無線周波数システムは、アンテナシステム２０、無線周波数回路３０及び上記の任意の実施形態に係わるマルチウェイスイッチ１０を含む。
【００８８】
マルチウェイスイッチ１０は、無線周波数回路３０及びアンテナシステム２０に接続されて、電子装置１００のプリセット機能を実現するために用いられる。プリセット機能は、４つのＰポートに対応する４つのアンテナによってＳＲＳを順番に送信する機能である。
【００８９】
図１６は、本発明の実施形態に係わる電子装置の構造を示す概略図である。電子デバイス１００は、アンテナシステム２０、無線周波数回路３０及び上記の任意の実施形態に係わるマルチウェイスイッチを含む。
【００９０】
マルチウェイスイッチ１０は、無線周波数回路３０及びアンテナシステム２０に接続されて、電子装置１００のプリセット機能を実現するために用いられる。プリセット機能は、４つのＰポートに対応する４つのアンテナによってＳＲＳを順番に送信する機能である。
【００９１】
さらに、図１７に示されるように、本発明の実施形態で説明されるアンテナシステム２０の４つのアンテナは、電子装置の無線充電受信機（ｗｉｒｅｌｅｓｓ  ｃｈａｒｇｉｎｇ  ｒｅｃｅｉｖｅｒ）によって再利用することもできる。無線充電受信機は、受信アンテナ及び受信制御回路を含む。受信アンテナは、無線充電送信機（ｗｉｒｅｌｅｓｓ  ｃｈａｒｇｉｎｇ  ｔｒａｎｓｍｉｔｔｅｒ）の送信アンテナと一致する（周波数が同じ又は類似している場合に共振し、放射性共振磁気結合方式でエネルギーを無線伝送方式で伝送する）。受信制御回路は、ループアレイアンテナによってエネルギーを直流（ＤＣ）に変換してから出力して、バッテリーを充電する。受信制御回路は、ループアレイアンテナの周波数を動的に調整することにより、ループアレイアンテナの周波数を無線充電送信機の送信アンテナの周波数と一致させて、ペアリングされた充電を達成することができる。あるいは、受信制御回路は、リアルタイムで無線充電送信機と周波数変更範囲について対話して、「排他的な暗号化」無線充電モードを実現することができる。
【００９２】
受信アンテナは、４つのアンテナのうちの少なくとも１つのアンテナからなるアンテナであることができる（複数のアンテナの場合、複数のアンテナはスイッチによってストローブされる）。
【００９３】
例えば、図１８に示されたように、受信アンテナは、上述した４つのアンテナを含むループアレイアンテナである。４つのアンテナは、アンテナ１、アンテナ２、アンテナ３及びアンテナ４を含む。アンテナ１及びアンテナ４は、ＬＴＥ周波数帯域と５Ｇ ＮＲ周波数帯域の両方で動作可能であるが、アンテナ２及びアンテナ３は、５Ｇ ＮＲ周波数帯域のみで動作可能である。アンテナ１のポートとアンテナ４のポートは、ループアレイアンテナのポートとして使用される。隣接するアンテナの間は、絶縁機能を有するゲート回路１７０によって接続される。ゲート回路１７０は、スペーサー１７１及びスイッチ１７２を含み、スペーサー１７１は導体であり、スイッチ１７２はさらにコントローラーに接続される。電子装置は、無線充電モードで各ゲート回路１７０のスイッチ１７２を導通させて、エネルギーを受信するループアレイアンテナを形成することができる。アンテナの間にスペーサ１７１を追加することにより、ゲート回路１７０は、通常の通信モードにおける電子装置の複数のアンテナの間の相互結合を低減し、複数のアンテナ間の分離を改善し、アンテナの性能を最適化する一方、スイッチ１７１によって複数のアンテナを直列に接続してループアレイアンテナを形成することにより、送信アンテナとの一致性を高めてエネルギーを伝送することができる。アンテナ１及びアンテナ４の能力はアンテナ２及びアンテナ３の能力よりも強いので、このように配置されたループアレイアンテナは、エネルギー伝送損失を極力低減することができる。具体的には、図１８に示されたように、アンテナ１とアンテナ４は隣接しないように配置される。アンテナ１とアンテナ４を隣接して配置する場合と比較して、アンテナ１とアンテナ４を隣接しないように配置する場合、以下の利点がある。アンテナ１とアンテナ４を隣接して配置すると、アンテナ１とアンテナ４の両方がＬＴＥ周波数帯域と５Ｇ ＮＲ周波数帯域の両方で動作可能であるので、アンテナ１とアンテナ４の間の周波数のオーバーラップが大きくなり、従ってアンテナ１とアンテナ４の間の相互結合が増加し、アンテナ１のインピーダンスとアンテナ４のインピーダンスを一致させることがさらに困難になり、送信過程のエネルギー損失が増加する。また、アンテナ１とアンテナ４を隣接して配置する場合の影響は、アンテナ２とアンテナ３を隣接して配置する場合の影響より大きく、アンテナ１とアンテナ４を隣接しないように配置する場合の利点は、アンテナ２とアンテナ３を隣接しないように配置する場合の利点より大きい。そのため、図１８に示されたように配置すると、アンテナ１及びアンテナ４はアンテナ２及びアンテナ３よりさらに強い能力（エネルギー伝送効率）を有し、伝送性能を向上させる。
【図１】
2021503223.tif 000003
【図２】
2021503223.tif 000004
【図３Ａ】
2021503223.tif 000005
【図３Ｂ】
2021503223.tif 000006
【図４】
2021503223.tif 000007
【図５】
2021503223.tif 000008
【図６】
2021503223.tif 000009
【図７】
2021503223.tif 000010
【図８】
2021503223.tif 000011
【図９】
2021503223.tif 000012
【図１０】
2021503223.tif 000013
【図１１】
2021503223.tif 000014
【図１２】
2021503223.tif 000015
【図１３】
2021503223.tif 000016
【図１４】
2021503223.tif 000017
【図１５】
2021503223.tif 000018
【図１６】
2021503223.tif 000019
【図１７】
2021503223.tif 000020
【図１８】
2021503223.tif 000021
【手続補正書】
【提出日】令和2年5月14日(2020.5.14)
【手続補正１】
【補正対象書類名】明細書
【補正対象項目名】００５５
【補正方法】変更
【補正の内容】
【００５５】
無線周波数回路の統合を改善するために、図４に示された無線周波数回路３０の第一トランシーバ回路３２１、第二トランシーバ回路３２２及び３つの受信回路は１つの独立回路モジュールに統合されることができる。図８は、本発明の実施形態に係わる独立回路モジュールに統合された無線周波数回路の構造を示す概略図である。図８に示されたように、第一トランシーバ回路３２１、第二トランシーバ回路３２２、第一受信回路３３１、第二受信回路３３２及び第三受信回路３３３は、１つの独立回路モジュール４１に統合される。独立回路モジュール４１は、無線周波数トランシーバ３１に接続された１０個のポート（即ち、図８に示されたポート４２０、４２１、４２２、４２３、４２４、４２５、４２６、４２７、４２８、４２９である）及びマルチウェイスイッチ１０に接続された５つのポート（即ち、図８に示されたポート４１１、４１２、４１３、４１４、４１５である）を含むことができる。ポート４２１、４２３は、独立回路モジュール４１の受信ポートである。ポート４２０、４２２、４２４、４２５、４２６、４２７、４２８、４２９は、独立回路モジュール４１の送信ポートである。ポート４１１、４１２は、独立回路モジュール４１の受信送信ポートであり、且つマルチウェイスイッチ１０の２つの第一Ｔポートにそれぞれ接続される。ポート４１３、４１４、４１５は、独立回路モジュール４１の受信ポートであり、且つマルチウェイスイッチ１０の３つの第二Ｔポートに１対１で対応して接続される。図８に示されたように、独立回路モジュール４１のポートの数量は、独立回路モジュール４１に統合された全ての信号処理回路（即ち、第一トランシーバ回路３２１、第二トランシーバ回路３２２、第一受信回路３３１、第二受信回路３３２、第三受信回路３３３）のポートの数量と等しく、且つ独立回路モジュール４１のポートと独立回路モジュール４１に統合された全ての信号処理回路のポートは対応して接続される。１つの実施形態において、ポート４２０は、第一トランシーバ回路３２１の送信ポートに接続され、ポート４２１は、第一トランシーバ回路３２１の受信ポートに接続され、ポート４１１は、第一トランシーバ回路３２１の受信送信ポートに接続される。ポート４２２は、第二トランシーバ回路３２２の送信ポートに接続され、ポート４２３は、第二トランシーバ回路３２２の受信ポートに接続され、ポート４１２は、第二トランシーバ回路３２２の受信送信ポートに接続される。ポート４２４、４２５は、別々に第一受信回路３３１の２つの送信ポートに接続され、ポート４１３は、第一受信回路３３１の受信ポートに接続される。ポート４２６、４２７は、別々に第二受信回路３３２の２つの送信ポートに接続され、ポート４１４は、第二受信回路３３２の受信ポートに接続される。ポート４２８、４２９は、別々に第三受信回路３３３の２つの送信ポートに接続され、ポート４１５は、第三受信回路３３３の受信ポートに接続される。
【手続補正２】
【補正対象書類名】明細書
【補正対象項目名】００５８
【補正方法】変更
【補正の内容】
【００５８】
図９は、本発明の別の実施形態に係わる独立回路モジュールに統合された無線周波数回路の構造を示す概略図である。図９に示されたように、第一トランシーバ回路３２１及び第二トランシーバ回路３２２は、第一独立回路モジュール５１に統合される。第一受信回路３３１、第二受信回路３３２及び第三受信回路３３３は、第二独立回路モジュール５２に統合される。第一独立回路モジュール５１は、２つの受信ポート（即ち、図９に示されたポート５１４、５１６である）、２つの送信ポート（即ち、図９に示されたポート５１３、５１５である）及び２つの受信送信ポート（即ち、図９に示されたポート５１１、５１２である）を含む。ポート５１４、５１６は、無線周波数トランシーバ３１の送信ポートＴＸ＿Ｎｘ及びＴＸ＿Ｎｙに接続され、ポート５１３、５１５は、無線周波数トランシーバ３１の受信ポートＲＸ１＿Ｎｘ及びＲＸ１＿Ｎｙに接続される。ポート５１１は、マルチウェイスイッチ１０の第一周波数帯域での送信及び受信をサポートする第一Ｔポートに接続される。ポート５１２は、マルチウェイスイッチ１０の第二周波数帯域での送信及び受信をサポートする第一Ｔポートに接続される。第二独立回路モジュール５２は、３つの受信ポート（即ち、ポート５２１、５２２、５２３）及び６つの送信ポート（即ち、ポート５２４、５２５、５２６、５２７、５２８、５２９）を含む。ポート５２１、５２２、５２３は、マルチウェイスイッチ１０の３つの第二Ｔポートに１対１で対応して接続される。ポート５２４、５２５、５２６、５２７、５２８、５２９は、別々に無線周波数トランシーバ３１の受信ポートＲＸ２＿Ｎｘ、ＲＸ２＿Ｎｙ、ＲＸ３＿Ｎｘ、ＲＸ３＿Ｎｙ、ＲＸ４＿Ｎｘ、ＲＸ４＿Ｎｙのうちの対応する１つの受信ポートに接続される。すべての独立回路モジュールのすべてのポートは互いに接続されていないことに留意されたい。
【手続補正３】
【補正対象書類名】図面
【補正対象項目名】図５
【補正方法】変更
【補正の内容】
【図５】
2021503223.tif 000022
【手続補正４】
【補正対象書類名】図面
【補正対象項目名】図６
【補正方法】変更
【補正の内容】
【図６】
2021503223.tif 000023
【手続補正５】
【補正対象書類名】図面
【補正対象項目名】図７
【補正方法】変更
【補正の内容】
【図７】
2021503223.tif 000024
【手続補正６】
【補正対象書類名】図面
【補正対象項目名】図８
【補正方法】変更
【補正の内容】
【図８】
2021503223.tif 000025
【手続補正７】
【補正対象書類名】図面
【補正対象項目名】図９
【補正方法】変更
【補正の内容】
【図９】
2021503223.tif 000026
【手続補正８】
【補正対象書類名】図面
【補正対象項目名】図１０
【補正方法】変更
【補正の内容】
【図１０】
2021503223.tif 000027
【手続補正９】
【補正対象書類名】図面
【補正対象項目名】図１１
【補正方法】変更
【補正の内容】
【図１１】
2021503223.tif 000028
【手続補正１０】
【補正対象書類名】図面
【補正対象項目名】図１２
【補正方法】変更
【補正の内容】
【図１２】
2021503223.tif 000029
【国際調査報告】
2021503223.tif 000030
2021503223.tif 000031
2021503223.tif 000032